(57)【特許請求の範囲】
【請求項１】
先羽根群と後羽根群のうち、後羽根群が、露光作動時に後羽根用駆動部材に押される被押動部を有していて露光開口の一方の側方位置で地板に枢着されている主アームと、先端部方向に略平行に延伸している腕部との間に該先端部方向に開口した長溝を形成していて前記側方位置で前記地板に枢着されている従アームと、前記二つのアームに対しそれらの各アームの先端部に向けて順に枢支されている複数枚の羽根と、前記二つのアームの一方に掛けられ該一方のアームを露光作動方向とは逆方向に付勢しているセットばねと、を備えており、また、セット部材が、セット時には初期位置から作動して先羽根用駆動部材と後羽根用駆動部材とを夫々の駆動ばねの付勢力に抗してセット位置へ作動させ、撮影時には露光作動に先立って初期位置へ復帰するように構成されていて、そのセット作動の過程においては前記長溝に挿入されて前記セットばねの付勢力による後羽根群の作動を阻止し、その復帰作動の過程においては前記長溝から離脱して前記セットばねの付勢力による後羽根群の作動を可能にする突起部を備えていることを特徴とする二重遮光方式のカメラ用フォーカルプレンシャッタ。
【請求項２】
前記セットばねが、前記従アームに掛けられていることを特徴とする請求項１に記載の二重遮光方式のカメラ用フォーカルプレンシャッタ。
【請求項３】
前記セット部材を初期位置へ復帰させるように付勢している復帰ばねを備え、前記突起部が、初期位置でストッパに当接するための部位であることを特徴とする請求項１又は２に記載の二重遮光方式のカメラ用フォーカルプレンシャッタ。
【請求項４】
前記腕部の先端部に、セット時に前記突起部が当接したとき、前記突起部が、前記セットばねの付勢力に抗して前記長溝内に入れるように、傾斜面が形成されていることを特徴とする請求項１乃至３の何れかに記載の二重遮光方式のカメラ用フォーカルプレンシャッタ。
【請求項５】
二つの地板の間を中間板で仕切ることによって二つの羽根室を構成し、前記セット部材は、撮影レンズ側の地板の撮影レンズ側に取り付けられていて、後羽根群は、撮影レンズ側の羽根室に配置されていることを特徴とする請求項１乃至４の何れかに記載の二重遮光方式のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより、感光面の露光を行うようにしたカメラ用のフォーカルプレンシャッタのうち、二重遮光方式と称されているタイプのフォーカルプレンシャッタに関する。
【０００２】
【従来の技術】
最近のフォーカルプレンシャッタは、その殆どのものが、先羽根群と後羽根群とを備えていて、撮影時においては、それらの羽根群のスリット形成羽根の間で、露光用のスリットを形成するようにしている。また、各羽根群の構成は、基本的には、露光開口の一方の側方位置で地板に枢着された二つのアームと、横長形状をしていてそれらの各アームの長手方向に順に枢支された複数枚の羽根とからなっており、それらの複数枚の羽根のうち、各アームの最先端側に枢支された羽根をスリット形成羽根としている。
【０００３】
周知のように、この種のフォーカルプレンシャッタは、その殆どが、一眼レフカメラなどの高級機に採用されるものである。そのため、高速のシャッタ速度を安定して得られることが最大の課題である。そして、シャッタ速度を高速化するための一つの方法として、羽根群の軽量化を図る方法があるが、その中には、材質面から軽量化を図る方法と、構造面から軽量化を図る方法とが知られている。そのため、従来からそれらについての数多くの提案がなされているが、構造面から軽量化を図るものの一つとして、二重遮光方式のフォーカルプレンシャッタと称されているものが知られており、実際に実施されている。
【０００４】
この二重遮光方式のフォーカルプレンシャッタは、カメラが使用されていないときには、先羽根群と後羽根群との両方が、露光開口を二重に覆っていて、撮影を行うに際してシャッタボタンが押されると、その初期段階において、先ず後羽根群を露光作動開始位置に作動させておいてから、両羽根群による露光作動が行われるようにしたものである。従って、一方の羽根群のみで露光開口を覆っている一般のシャッタに比較し、カメラの不使用時において、漏光によってフィルムを感光させてしまう可能性が少なくなることから、展開状態において隣接している羽根同士の重なり量を少なくすることが可能になる。それ故、各羽根の平面積を小さくして、羽根群全体を軽量化できるという利点があるほか、羽根の枚数を増やさずに各羽根の面積を小さくすることができることから、シャッタの小型化にも有利な構成となっている。
【０００５】
ところで、従来のこの種のシャッタの基本構成は、例えば特開昭５４−１５１４３９号公報や特開平１０−９６９７７号公報などで知られているように、二重遮光方式ではないシャッタにおける後羽根用駆動部材を二つの部材で構成し、それらを個々に回転できるようにして、同一軸上に配置させるようにするのが普通であった。そのため、それらの部材に関連する部品の増加や、それらの部材の取付け構成の複雑化によって、シャッタ開閉機構部のコンパクト化に不利であるという問題点があった。そこで、今までの基本構成を根本的に変えることによって、上記のような問題点を解消することの可能な構成が、特開平１０−８３０１２号公報で提案されている。
【０００６】
【発明が解決しようとする課題】
この特開平１０−８３０１２号公報で提案されている発明（以下、従来例という）は、シャッタ地板に係止手段を設けておき、露光作動終了時に、後羽根群の被抑止手段をこの係止手段によって係止し、セット時においては、その係止を、セット部材が、その操作部によって解除すると共に、そのセット部材の抑止部によって、その被抑止部を直ちに抑止するように構成している。従って、それまでのような、後羽根用駆動部材を二つに分けたような基本構成を採用しなくしたことによって、シャッタ地板に取り付けられる部品点数を減らすことができるようにした点で、可成りの評価に値するものがある。
【０００７】
しかしながら、この従来例は、実際に製作するとなると、まだまだ改善の余地があり、特に、加工面や組立調整面での問題点を克服する必要がある。即ち、従来例の実施例においては、上記の被抑止部として、後羽根群の主アームにピンを立設しているが、このピンは、シャッタ地板を貫通してセット部材の作動面にまで達しなければならないことから、比較的長いピンということになる。しかし、実際には、極めて薄い材料で製作されている主アームに、このような長いピンを立設するのは簡単なことではない。このようなピンを、かしめ加工によって立設する場合には、部品や工数が多くなるだけではなく、垂直度の精度を確保するのが容易でなく、また、主アームとピンを樹脂材料で一体成形する場合には、超薄型の成形技術が必要となってしまうからである。従って、いずれにしてもコスト高になってしまうという問題点がある。
【０００８】
また、そのほかにも、シャッタ地板には、係止手段として、上記のピンのような被抑止部を係止するための係止部を形成しなければならないし、その係止を解除するために、セット部材の操作部によって操作される被操作部をも形成しなければならないということがある。更に、それらの三者、即ち、後羽根群と、シャッタ地板と、セット部材とを、それらの関係部位が所定の機能を発揮できるように組み立てなければならないということがある。即ち、この従来例においては、部品数は少なくて、コンパクト化には優れたものがあるが、二重遮光のために関係する部位の数が多いために、個々の部位の加工精度を得るのが面倒であって、且つ組立調整も面倒になるということである。従って、このような観点からも、コスト高になってしまうという問題点がある。
【０００９】
本発明は、このような問題点を解決するためになされたものであり、その目的とするところは、最少の構成部品，最少の関係部位で二重遮光機能を発揮することができるようにした低コストなカメラ用フォーカルプレンシャッタを提供することである。
【００１０】
【課題を解決するための手段】
上記の目的を達成するために、本発明の二重遮光方式のカメラ用フォーカルプレンシャッタは、先羽根群と後羽根群のうち、後羽根群が、露光作動時に後羽根用駆動部材に押される被押動部を有していて露光開口の一方の側方位置で地板に枢着されている主アームと、先端部方向に略平行に延伸している腕部との間に該先端部方向に開口した長溝を形成していて前記側方位置で前記地板に枢着されている従アームと、前記二つのアームに対しそれらの各アームの先端部に向けて順に枢支されている複数枚の羽根と、前記二つのアームの一方に掛けられ該一方のアームを露光作動方向とは逆方向に付勢しているセットばねと、を備えており、また、セット部材が、セット時には初期位置から作動して先羽根用駆動部材と後羽根用駆動部材とを夫々の駆動ばねの付勢力に抗してセット位置へ作動させ、撮影時には露光作動に先立って初期位置へ復帰するように構成されていて、そのセット作動の過程においては前記長溝に挿入されて前記セットばねの付勢力による後羽根群の作動を阻止し、その復帰作動の過程においては前記長溝から離脱して前記セットばねの付勢力による後羽根群の作動を可能にする突起部を備えているようにする。
また、本発明のカメラ用フォーカルプレンシャッタにおいては、前記セットばねが、前記従アームに掛けられているようにすると、そのセットばねが、従来のガタ寄せ用のばねを兼用することになり、構成部品の増加を抑制することができる。
また、本発明のカメラ用フォーカルプレンシャッタにおいては、前記セット部材を初期位置へ復帰させるように付勢している復帰ばねを備え、前記突起部が、初期位置でストッパに当接するようにすると、二重遮光機能を得るために、セット部材を特別な形状にしなくて済むという利点がある。
また、本発明のカメラ用フォーカルプレンシャッタにおいては、前記腕部の先端部に、セット時に前記突起部が当接したとき、前記突起部が、前記セットばねの付勢力に抗して前記長溝内に入れるように、傾斜面が形成されているようにすると、二重遮光機能が容易に得られるようになる。
更に、本発明のカメラ用フォーカルプレンシャッタにおいては、二つの地板の間を中間板で仕切ることによって二つの羽根室を構成し、前記セット部材は、撮影レンズ側の地板の撮影レンズ側に取り付けられていて、後羽根群は、撮影レンズ側の羽根室に配置されているようにすると、後羽根群とセット部材との連携関係が好適に得られ易くなる。
【００１１】
【発明の実施の形態】
本発明の実施の形態を、図１〜図１４に示した実施例によって説明する。尚、図１は、被写体側、即ち撮影レンズ側から視たセット状態の平面図であって、図２〜図８は、セット状態における実施例の各構成部品の平面図であり、図９は、実施例の部分左側面図である。また、図１０は、図１がシャッタ全体を示していて細部が見にくいために、図１の左側の部分だけを拡大し、周知の先羽根用駆動部材と、後羽根用駆動部材と、各羽根群の羽根とを取り外して示した平面図である。更に、図１１〜図１４は、実施例の作動を説明するために示した平面図であり、図１１は露光作動開始直前の状態を示し、図１２は露光開口の全開状態を示し、図１３は露光作動終了直後の状態を示し、図１４はセット作動の過程におけるセット部材と後羽根群との関係を拡大して示している。
【００１２】
先ず、本実施例の構成を図１〜図１０を用いて説明するが、説明の便宜上、各構成部材のレンズ側を表面側と称し、フィルム面側を背面側と称することにする。図２は、主に、本実施例のシャッタ地板１を示したものである。このシャッタ地板１は合成樹脂製であって、略中央部には開口部１ａが形成されており、その左側の側方位置には四つの円弧状の長孔１ｂ，１ｃ，１ｄ，１ｅが形成されている。そして、長孔１ｂ，１ｃの下端部には、周知のようにして、平面形状がＣ字状をしているブチルゴム製の緩衝部材２，３が取り付けられている。シャッタ地板１の表面側には、軸１ｆ，１ｇ，１ｈ，１ｉが立設されていて、軸１ｆ，１ｇ，１ｈの根元には、後述する各回転部材の座部が形成されている。また、軸１ｆ，１ｇ，１ｈは、先端側が小径部となるように形成されていて、更に、軸１ｈ，１ｉの先端面には、ねじ孔１ｈ1，１ｉ1が形成されている。
【００１３】
このシャッタ地板１の背面側には、周知のように開口部１ａを囲むようにして、座ぐり部１ｊが形成されている。また、開口部１ａの右側は肉厚部１ｋとして形成されており、表面側は基準面と同一面になっているが、背面側は基準面よりも隆起した面となっている。また、その肉厚部１ｋの右側の上下位置には、係合部１ｋ1，１ｋ2が形成されている。そして、開口部１ａの上下位置の背面側には隆起した肉厚部１ｋの面と基準面との間に、斜面１ｋ3，１ｋ4が形成されている。また、シャッタ地板１の左上隅には、背面側に厚さの異なる二つの肉厚部１ｍ，１ｎが形成されていて、厚い方の肉厚部１ｍの段面には直方体をした緩衝部材４が、接着剤によって取り付けられている。更に、開口部１ａの下方位置には背面側に二つの棚部１ｐ，１ｑが形成されていて、夫々の上面に、直方体の緩衝部材５，６が接着剤によって取り付けられている。
【００１４】
シャッタ地板１の背面側には、更に、軸１ｒ，１ｓ，１ｔ，１ｕ，１ｖ，１ｗ，１ｘ，１ｙが立設されていて、軸１ｒ，１ｔ，１ｖは、表面側に立設された軸１ｆ，１ｇ，１ｉと同心的に配置されている。また、軸１ｗには、先端面にねじ孔１ｗ1が形成されている。軸１ｖの先端面にも、同様にしてねじ孔が形成されているが、図面上では軸１ｉと重なってしまうため、明示されていない。そして、軸１ｗには、所定の厚さを有している環状の緩衝部材７が、接着剤によって取付けられている。更に、軸１ｘ，１ｙの先端部の周囲には環状に溝が形成されており、また、軸１ｘの根元側には、間座部１ｘ1が形成されている。
【００１５】
次に、シャッタ地板１の表面側に取り付けられている構成部材を、主に図３及び図４を用いて説明する。既に説明したように、シャッタ地板１の軸１ｆ，１ｇ，１ｈ，１ｉの先端部には小径部が形成されていて、それらのうち軸１ｈ、１ｉの先端面には、ねじ孔１ｈ1，１ｉ1が形成されている。そこで、それらの小径部に対して、シャッタ地板１側から順に、先ず、支持板８（図３（ｃ）参照）の孔８ａ，８ｂ，８ｃ，８ｄを嵌合させ、次に、プリント配線板９（図３（ｂ）参照）の孔９ａ，９ｂ，９ｃ，９ｄ）を嵌合させた後、ネジ１０，１１（図３（ｃ）参照）を、ねじ孔１ｈ1，１ｉ1に螺合させるようにしている。
【００１６】
また、支持板８には、折り曲げ加工によって、爪部８ｅ，８ｆ、ばね掛け部８ｇ、取付部８ｈ，８ｉが形成されている。そして、取付部８ｈ，８ｉは極めて複雑な形状をしている。そのため、詳しい説明を省略するが、それらの取付部８ｈ，８ｉには、夫々、シャッタ地板１側に、先羽根用電磁石１２と後羽根用電磁石１３が取り付けられている。そして、各電磁石１２，１３は、鉄芯１２ａ，１３ａとコイル１２ｂ，１３ｂを有していて、コイル１２ｂ，１３ｂの各二つの端子は、プリント配線板９に接続されるようになっている。
【００１７】
シャッタ地板１と支持板８との間において、軸１ｆには先羽根用駆動部材１４が、また、軸１ｇには後羽根用駆動部材１５が、夫々、回転可能に取り付けられている。また、それらの軸１ｆ，１ｇの小径部には、ラチェット車１６，１７が回転可能に取り付けられている。図４（ｃ）に示されているように、先羽根用駆動部材１４は、合成樹脂製であって、上記の軸１ｆに回転可能に嵌合する筒部１４ａと、駆動ピン１４ｂと、取付部１４ｃとを有していて、背面側にはローラ１８を回転可能に取り付けている。また、駆動ピン１４ｂは、シャッタ地板１の長孔１ｂを貫通して、背面側に突き出ており、取付部１４ｃには、先羽根用電磁石１２の鉄芯１２ａに吸着される鉄片部材１９が取り付けられているが、鉄片部材１９の形状と、その取付け構成は周知であるため、それらについての詳しい説明は省略する。
【００１８】
先羽根用駆動部材１４の筒部１４ａには、図４（ｂ）に示した先羽根用駆動ばね２０が、図９に示すようにして嵌装されており、その一端が上記した取付部１４ｃの一部に掛けられ、その他端がラチェット車１６のばね掛け部１６ａ（図４（ａ）参照）に掛けられている。しかし、ラチェット車１６は、その歯部１６ｂが支持板８の爪部８ｅに噛合し、図４（ａ）において反時計方向ヘの回転を阻止されているため、先羽根用駆動ばね２０は、図４（ｃ）に示された先羽根用駆動部材１４を時計方向ヘ回転させるように付勢している。そして、その付勢力の調整は、爪部８ｅとラチェット車１６の噛合位置を変えることによって行われるようになっている。
【００１９】
他方、軸１ｇに回転可能に取り付けられている後羽根用駆動部材１５も、先羽根用駆動部材１４と同様に合成樹脂製であって、上記の軸１ｇに回転可能に嵌合する筒部１５ａと、駆動ピン１５ｂと、取付部１５ｃとを有していて、背面側にはローラ２１を回転可能に取り付けている。また、駆動ピン１５ｂは、シャッタ地板１の長孔１ｃを貫通して、背面側に突き出ており、その突き出した部分には平らな押動面１５ｂ1が形成されている。更に、取付部１５ｃには、後羽根用電磁石１３の鉄芯１３ａに吸着される鉄片部材２２が取り付けられているが、その形状と取付け構成は周知であるため、それらについての説明を省略する。
【００２０】
また、後羽根用駆動部材１５の筒部１５ａには、図４（ｂ）に示した後羽根用駆動ばね２３が嵌装されており、その一端が上記した取付部１５ｃの一部に掛けられ、その他端がラチェット車１７のばね掛け部１７ａ（図４（ａ）参照）に掛けられている。しかし、ラチェット車１７は、その歯部１７ｂが支持板８の爪部８ｆに噛合し、図４（ａ）において反時計方向ヘの回転を阻止されているため、後羽根用駆動ばね２３は、図４（ｃ）に示された後羽根用駆動部材１５を時計方向ヘ回転させるように付勢している。尚、その付勢力の調整については、上記の先羽根用駆動ばね２０の場合に準じて行われる。
【００２１】
シャッタ地板１と支持板８との間において、軸１ｈには、図４（ｅ）に示されたセット部材２４が、回転可能に取り付けられている。このセット部材２４は、合成樹脂製であって、上記の軸１ｈに回転可能に嵌合する筒部２４ａと、押動部２４ｂ，２４ｃと、被押動部２４ｄと、ばね掛け部２４ｅと、ピン２４ｆを有している。また、セット部材２４の筒部２４ａには、図４（ｄ）に示した復帰ばね２５が、図９に示すようにして嵌装されており、その一端を、ばね掛け部２４ｅに掛け、他端を、上記した支持板８のばね掛け部８ｇに掛けることによって、図４（ｅ）に示されたセット部材２４を、反時計方向ヘ回転させるように付勢している。そして、その復帰ばね２５によるセット部材２４の回転は、シャッタ地板１の長孔１ｄに挿入されたピン２４ｆが、その長孔１ｄの右側の端面に当接することによって停止されるようになっている。
【００２２】
尚、セット部材２４については、上記のようにしてピン２４ｆが長孔１ｄの右側の端面に当接し停止している位置を、初期位置と称することにする。また、このようにして、復帰ばね２５の付勢力によって回転されるセット部材２４を停止させるために、セット部材２４にピン２４ｆを設けること自体は周知である。しかし、本実施例においては、このピン２４ｆが、従来のピンよりも長く形成されている。そして、そのように長くしたことによって、本発明の固有の機能を発揮することができるようになっているが、そのことについては、以下に説明する他の部材の構成説明と、実施例の作動説明から理解することができるようにする。
【００２３】
以上の説明で、シャッタ地板１自身と、主にシャッタ地板１の表面側に取り付けられる部材の構成についての説明を終わり、以後は、シャッタ地板１の背面側に取り付けられる部材と、その取付け構成について説明することにするが、先ずは、その全体構成の概略を説明しておく。シャッタ地板１の背面側には、夫々、所定の間隔を空けて中間板３３（図６参照）と補助地板４３（図８（ｂ）参照）とが取り付けられ、シャッタ地板１と中間板３３との間が後羽根群（図５（ａ）参照）の羽根室となり、中間板３３と補助地板４３との間が先羽根群（図７（ａ）参照）の羽根室となっている。また、中間板３３と補助地板４３にも、略中央部に開口部３３ａ，４３ａが形成されており、シャッタ地板１の開口部１ａをそれらと重ね合わせることによって、長方形を横長にした露光開口が形成されるようになっている。
【００２４】
そこで、先ず、図５（ａ）に示された後羽根群について説明する。後羽根群は、二つのアーム２６，２７と、それらの長さ方向に順に枢支された４枚の羽根２８，２９，３０，３１で構成されていて、最先端に枢支された羽根３１がスリット形成羽根である。各羽根の枢支は、周知のように、リベット部品である連結軸を用いて行われている。即ち、アームと羽根とに形成されている孔に、連結軸をアーム側から挿入し、その挿入端を、羽根にかしめて固定している。従って、この後羽根群の場合には、二つのアーム２６，２７が、各羽根２８，２９．３０，３１よりもシャッタ地板１側に配置されていて、それらのアーム２６，２７から、各連結軸の頭が、シャッタ地板１側に突き出た構成をしていることになる。
【００２５】
このような枢支構成自体は周知である。しかし、本実施例の特徴は、アーム２６，２７の形状にある。即ち、アーム２６は、後羽根群の主アームであって、孔２６ａを、シャッタ地板１の軸１ｔに回転可能に嵌合させているが、羽根２８の枢支部の近傍には、被押動部２６ｂが形成されていて、既に説明した後羽根用駆動部材１５の駆動ピン１５ｂに形成された押動面１５ｂ1が、その被押動部２６ｂを押し得るようになっている。もう一つのアーム２７は、従アームであって、孔２７ａを、シャッタ地板１の軸１ｕに回転可能に嵌合させており、先端部には張出部２７ｂが形成されている。また、先端部方向に延伸させた腕部２７ｃとの間において、先端部方向に開口した長溝２７ｄを形成している。そして、その腕部２７ｃの先端には、既に説明したセット部材２４のピン２４ｆに摺接し、そのピン２４ｆを長溝２７ｄ内に案内するための傾斜面２７ｃ1が形成されている。
【００２６】
この後羽根群の従アーム２７には、もう一つの孔２７ｅが形成されていて、そこに、図５（ｂ）に示したセットばね３２が掛けられるようになっている。即ち、セットばね３２は、シャッタ地板１の軸１ｕに嵌装されていて、その一端をシャッタ地板１の軸１ｓに掛け、他端を従アーム２７の孔２７ｅに掛けることによって、従アーム２７を反時計方向ヘ回転させるように付勢している。従アーム２７に対して、このようにばねを掛けることは、従来からも行われている。しかし、従来のばねは、各枢支部のガタ寄せを行うだけの目的で配置されていたために、その付勢力は小さかったが、本実施例のセットばね３２は、後述の説明から分かるように、後羽根群全体を露光作動開始位置まで作動させる力を必要とするため、その付勢力は、ガタ寄せを行うだけの場合よりも大きくなるように設定されている。
【００２７】
ところで、シャッタ地板１に対して、このような後羽根群を組み付ける場合、通常は、シャッタ地板１を、その表面側を下にして治具の上に置いておき、軸１ｔ，１ｕに対して、アーム２６，２７の孔２６ａ，２７ａを上から嵌合させるようにしている。このとき、セットばね３２を、予め軸１ｕに嵌装させておき、その一端を、シャッタ地板１側から孔２７ｅに掛けるようにするのは、作業上、明らかに問題である。そこで、従来の場合にも、予め後羽根群を軸１ｔ，１ｕに組み付けた後に、ガタ寄せばねを軸１ｕに嵌装し、その一端を、シャッタ地板１とは反対側から孔２７ｅに掛けるようにしていた。即ち、孔２７ｅに掛けたガタ寄せばねの一端は、シャッタ地板１側に突き出るようになっていた。従って、本実施例のセットばね３２も、従来のガタ寄せばねの場合と同様にして組みつけられている。
【００２８】
しかし、通常のシャッタの場合には、後羽根群は、常に、後羽根用駆動部材によって強力な力で作動させられ、且つガタ寄せばねの付勢力も極めて小さいものであるため、孔２７ｅに掛けているガタ寄せばねの一端が、仮にシャッタ地板１に接触するようなことがあったとしても、それによる摩擦抵抗は余り問題にする必要がなかった。ところが、セットばね３２の場合には、上記したように、従来のガタ寄せばねの場合よりは、付勢力が大きく設定されているとはいうものの、後述の作動説明からも分かるように、露光作動時には、その露光作動に逆らう力として作用してしまうため、余り大きくするわけにはいかない。そのため、孔２７ｅに掛けているセットばね３２の一端が、シャッタ地板１に接してしまうと、所定時間内に後羽根群を露光作動開始位置まで作動させられない事態が発生してしまう。従って、本実施例においては、そのような事態が発生しないようにするために、シャッタ地板１に、既に説明した長孔１ｅを形成しているわけである。
【００２９】
次に、図６を用いて中間板３３について説明する。中間板３３の略中央部には開口部３３ａが形成されており、その開口部３３ａの左側には二つの円弧状の長孔３３ｂ，３３ｃが形成され、また、開口部３３ａの右側には二つの孔３３ｄ，３３ｅが形成されている。そのうち、長孔３３ｂ，３３ｃは、上記した各駆動部材１４，１５の駆動ピン１４ｂ，１５ｂを貫通させており、それによって、駆動ピン１４ｂの場合には、中間板３３の背面側の羽根室で、後述する先羽根群と連結することが可能になっていて、駆動ピン１５ｂの場合には、上記した後羽根群の主アーム２６の被押動部２６ｂに対し、確実に接触し得るようになっている。
【００３０】
また、孔３３ｄ，３３ｅは、シャッタ地板１の軸１ｘ，１ｙに嵌合させるためのものである。そして、本実施例においては、この中間板３３とシャッタ地板１との間隔は、数カ所で維持されるようになっている。即ち、開口部３３ａの上方位置は、後羽根群の４枚の羽根２８，２９，３０，３１が重畳状態となるので、それに必要な間隔が、孔３３ｄの縁を間座部１ｘ1に接触させ、且つ張出部３３ｆを肉厚部１ｎに接触させることによって、得られるようになっている。また、開口部３３ａの下方位置は、上方位置よりも間隔が狭くて良く、本実施例の場合には、シャッタ地板１の棚部１ｐ，１ｑがその役目をしている。
【００３１】
更に、中間板３３とシャッタ地板１との間隔は、光軸の左側、即ち開口部３３ａの中央部より左側の位置においては、羽根２８，２９，３０，３１の厚さのほか、アーム２６，２７の厚さや、各羽根を取付けるための連結軸の頭の突出し量を考慮して決める必要があるが、開口部３３ａの右側においては、羽根２８，２９，３０，３１の厚さだけを考慮して決めることになる。そのため、通常、その右側の位置には、後羽根用押さえ板と称されている部材を配置し、間隔を狭くしているが、本実施例においては、シャッタ地板１に肉厚部１ｋが形成されているので、そのような部材は配置されていない。
【００３２】
上記のような中間板３３の背面側には、図７（ａ）に示すような先羽根群が配置されている。この先羽根群は、従来の先羽根群と全く同じ構成をしていて、主アーム３４と、従アーム３５と、それらに枢支された４枚の羽根３６，３７，３８，３９で構成されていて、羽根３９がスリット形成羽根となっている。そして、それらの重なり関係は、上記した後羽根群の場合とは逆であって、主アーム３４，従アーム３５が、後述する補助地板４３側に配置され、各連結軸の頭は補助地板４３側に突き出ている。
【００３３】
また、主アーム３４には、二つの孔３４ａ，３４ｂが形成され、従アーム３５にも、二つの孔３５ａ，３５ｂが形成されている。そして、孔３４ａ，３５ａは、シャッタ地板１の軸１ｒ，１ｓに回転可能に嵌合されており、孔３４ｂには、先羽根用駆動部材１４の駆動ピン１４ｂが嵌合されている。また、図７（ｂ）に示されているガタ寄せばね４０は、軸１ｓに嵌装されており、その一端を軸１ｕに掛け、他端を従アーム３５の孔３５ｂに掛けることによって、従アーム３５を反時計方向ヘ回転させるように付勢している。
【００３４】
更に、上記した中間板３３の背面側において、シャッタ地板１の軸１ｙに、図７（ｃ）に示された間座４１が嵌合されている。また、その次に、図８（ａ）に示された先羽根用押さえ板４２が、その孔４２ａ，４２ｂを、シャッタ地板１の軸１ｘ，１ｙに嵌合させている。そして、上記した先羽根群の各羽根３６，３７，３８，３９の先端部は、その先羽根用押さえ板４２と中間板３３との間で作動するようになっている。このうち、間座４１は、先羽根群の４枚の羽根３６，３７，３８，３９が露光開口の下方位置で重畳状態となれる間隔を確保するためのものである。また、先羽根用押さえ板４２は、シャッタ地板１の肉厚部１ｋと同じ役目をするものであって、後述する補助地板４３が合成樹脂で製作された場合には、先羽根用羽根押さえ板４２に代えて、補助地板４３に肉厚部を形成するようにしても差し支えない。
【００３５】
図８（ｂ）には、本実施例の補助地板４３が示されている。この補助地板４３は、金属製であって、略中央部に開口部４３ａが形成されており、その開口部４３ａの左側には、三つの孔４３ｂ，４３ｃ，４３ｄと三つの折曲部４３ｅ，４３ｆ，４３ｇが形成されている。これらのうち、孔４３ｃは、シャッタ地板１の軸１ｕの先端が挿入される孔であり、折曲部４３ｅ，４３ｆ，４３ｇは、中間板３３との間隔が適正に保たれるようにするためのものである。また、開口部４３ａの右側には、鍵穴を横にしたような二つの孔４３ｈ，４３ｉと、二つのフック部４３ｊ，４３ｋと、三つの突出し部４３ｍ，４３ｎ，４３ｐが形成されている。このうち、突出し部４３ｍ，４３ｎ，４３ｐは、先羽根用押さえ板４２を支えるためのものである。更に、開口部４３ａの下側には、折曲部４３ｑが形成されていて、その上面に、長い直方体をした緩衝部材４４が、接着剤によって取り付けられている。
【００３６】
次に、この補助地板４３の取付け方について説明する。既に説明したように、シャッタ地板１の軸１ｖ，１ｗの先端面にはねじ孔が形成されていて、軸１ｘ，１ｙの先端部周囲には環状に溝が形成されている。そこで、先ず、孔４３ｈ，４３ｉの左側の大きな開口部を、軸１ｘ，１ｙに嵌合させ、次に、補助地板４３を左側に移動させることによって、右側の小さな開口部の縁を、上記した環状の溝に入り込ませる。そして、この状態で、孔４３ｃを軸１ｕに嵌合させ、フック部４３ｊ，４３ｋを係合部１ｋ1，１ｋ2に引っ掛ける。その後、図８（ｃ）に示されたネジ４５，４６を孔４３ｂ，４３ｄに通して、軸１ｖ，１ｗのねじ孔に螺合させるようにする。
【００３７】
次に、本実施例の作動を説明する。図１及び図１０は、シャッタのセット状態を示している。即ち、セット部材２４が、図示していないカメラ本体側の部材によって、被押動部２４ｄを押され、復帰ばね２５の付勢力に抗して時計方向ヘ回転された後、上記のカメラ本体側の部材の停止によって、そのセット位置を保たされている状態である。そのため、先羽根用駆動部材１４，後羽根用駆動部材１５は、先羽根用駆動ばね２０，後羽根用駆動ばね２３の付勢力に抗して、反時計方向ヘ回転された状態にあり、夫々の鉄片部材１９，２２は、各電磁石１２，１３の鉄芯１２ａ，１３ａに接触させられている。
【００３８】
また、この状態においては、先羽根用駆動部材１４の駆動ピン１４ｂが、先羽根群の主アーム３４を反時計方向ヘ回転させているので、４枚の羽根３６，３７，３８，３９は展開状態となって、露光開口を完全に覆っている。他方、後羽根用駆動部材１５も、上記したように反時計方向ヘ回転されているので、それに伴って駆動ピン１５ｂの位置が移動させられているが、図１０から分かるように、セット部材２４のピン２４ｆが後羽根群の従アーム２７の長溝２７ｄに入っているため、従アーム２７はセットばね３２の付勢力によって反時計方向ヘ回転できない状態にある。そのため、主アーム２６の被押動部２６ｂは、駆動ピン１５ｂの移動に追従できず、後羽根群の４枚の羽根２８，２９，３０，３１は、展開状態のままで、露光開口を完全に覆った状態となっている。従って、このセット状態においては、露光開口は、先羽根群の羽根３６，３７，３８，３９と、後羽根群の羽根２８，２９，３０，３１によって、二重に覆われていることになる。
【００３９】
このようなセット状態において、カメラのレリーズボタンが押されると、先ず、先羽根用電磁石１２のコイル１２ｂと後羽根用電磁石１３のコイル１３ｂに通電され、それらの鉄芯１２ａ、１３ａに接触していた鉄片部材１９，２２が吸着保持される。その後、図示していないカメラ本体側の部材が、セット部材２４の被押動部２４ｄの押圧力を解いていくので、セット部材２４は、図１０に示された状態から、復帰ばね２５の付勢力により、初期位置へ向けて、反時計方向ヘ回転されていく。
【００４０】
このようにして、図１０の状態から、セット部材２４が反時計方向ヘ回転すると、セット部材２４のピン２４ｆが、後羽根群の従アーム２７の長溝２７ｄから脱出するので、従アーム２７はセットばね３２の付勢力によって、反時計方向ヘ急速に回転される。そのため、主アーム２６は反時計方向ヘ回転され、後羽根群の４枚の羽根２８，２９，３０，３１は、相互の重なり量を大きくしつつ急速に上方へ移動し、露光開口の上方位置に、重畳状態となって格納されていく。そして、その作動は、先ず、主アーム２６の被押動部２６ｂが、後羽根用駆動部材１５の駆動ピン１５ｂの押動面１５ｂ1に当接し、次に、慣性等によって主アーム２６が緩衝部材４に当接することによって停止させられる。
【００４１】
そして、セット部材２４が初期位置へ復帰し、停止した状態が図１１に示されている。この状態が、先羽根群と後羽根群の、露光作動開始直前の状態であって、露光開口は先羽根群の羽根３６，３７，３８，３９のみによって覆われている。また、この状態においては、セット部材２４の押動部２４ｂ，２４ｃが、先羽根用駆動部材１４と後羽根用駆動部材１５の各ローラ１８，２１から離れているために、先羽根用駆動部材１４と後羽根用駆動部材１５とは、先羽根用駆動ばね２０と後羽根用駆動ばね２３の付勢力によって時計方向ヘ回転され得る体勢にあるが、それを、夫々の鉄片部材１９，２２が、各電磁石１２，１３の鉄片１２ａ，１３ａに吸着されていることによって、阻止されている。
【００４２】
この図１１に示された状態から、先ず、先羽根用電磁石１２のコイル１２ｂに対する通電が断たれると、鉄片部材１９に対する保持力が失われ、先羽根用駆動部材１４が、先羽根用駆動ばね２０の付勢力によって時計方向へ回転を開始する。それによって、先羽根用駆動部材１４の駆動ピン１４ｂが、主アーム３４を時計方向へ回転させ、先羽根群の４枚の羽根３６，３７，３８，３９を下方へ作動させていく。そのため、羽根３６，３７，３８，３９は相互の重なり量を大きくして行き、スリット形成羽根３９の上側の縁であるスリット形成縁によって、露光開口を開いていく。そして、スリット形成羽根３９のスリット形成縁が、露光開口を完全に全開にした段階になると、先ず、先羽根用駆動部材１４の駆動ピン１４ｂが緩衝部材２に当接し、次に、主アーム３４の根元側の部位が緩衝部材７に当接し、最後に、重畳された４枚の羽根の作動方向の縁が緩衝部材４４に当接することによって停止する。その状態が、図１２に示された状態である。
【００４３】
上記のようにして、先羽根用電磁石１２のコイル１２ｂに対する通電が断たれてから所定時間が経過すると、今度は、後羽根用電磁石１３のコイル１３ｂに対する通電が断たれる。周知のように、実際には、コイル１３ｂに対する通電が断たれるタイミングは、撮影条件によって様々である。従って、むしろ、先羽根群の露光作動が終了する前に、コイル１３ｂへの通電が断たれることが多いが、本実施例の作動説明においては、説明の都合上、上記のように、先羽根群の露光作動が終了した後に、通電が断たれた場合で説明することにする。
【００４４】
そこで、後羽根用電磁石１３のコイル１３ｂに対する通電が断たれると、鉄片部材２２に対する保持力が失われるため、後羽根用駆動部材１５は、後羽根用駆動ばね２３の付勢力によって時計方向へ回転させられるが、このとき、駆動ピン１５ｂの押動面１５ｂ1が主アーム２６の被押動部２６ｂを押し、主アーム２６，従アーム２７を、セットばね３２の付勢力に抗して時計方向ヘ回転させ、後羽根群の４枚の羽根２８，２９，３０，３１を下方へ作動させる。そのため、４枚の羽根２８，２９，３０，３１は、相互の重なりを小さくしつつ、スリット形成羽根３１の下方の縁であるスリット形成縁によって、露光開口を閉じていく。
【００４５】
そして、４枚の羽根２８，２９，３０，３１が、露光開口を完全に閉じた段階になると、瞬間的なタイミングで、先ず、後羽根用駆動部材１５の駆動ピン１５ｂが緩衝部材３に当接し、次に、従アーム２７の張出部２７ｂが緩衝部材５に当接し、最後に、スリット形成羽根３１の先端のスリット形成縁が緩衝部材６に当接することによって停止し、露光作動が終了する。その露光作動終了直後の状態が、図１３に示されている。
【００４６】
次に、本実施例のセット作動を説明する。図１３に示された状態において、フィルムの巻き上げが行われると、それに連動して図示していないカメラ本体側の部材が、セット部材２４の被押動部２４ｄを押し、セット部材２４を、復帰ばね２５の付勢力に抗して時計方向ヘ回転させていく。それによって、先ず、セット部材２４の押動部２４ｂが、先羽根用駆動部材１４のローラ１８を押し、先羽根用駆動部材１４を、先羽根用駆動ばね２０の付勢力に抗して、反時計方向ヘ回転させていく。それによって、駆動ピン１４ｂが先羽根群の主アーム３４を反時計方向ヘ回転させることになるので、先羽根群の４枚の羽根３６，３７，３８，３９は、相互の重なり量を小さくしつつ上方へ作動されていく。
【００４７】
そして、先羽根群のスリット形成羽根３９と後羽根群のスリット形成羽根３１の重なり量が所定量に達すると、セット部材２４は、更に、押動部２４ｃによって、後羽根用駆動部材１５のローラ２１を押し、後羽根用駆動部材１５を、後羽根用駆動ばね２３の付勢力に抗して、反時計方向ヘ回転させていく。このとき、後羽根群の従アーム２７はセットばね３２によって反時計方向ヘ回転するように付勢されているため、主アーム２６と従アーム２７とは、主アーム２６の被押動部２６ｂと駆動ピン１５ｂの押動面１５ｂ1との接触を保ちながら、反時計方向ヘ回転しようとする。しかし、そのときには、既に、セット部材２４のピン２４ｆが、従アーム２７の腕部２７ｃの作動軌跡内に移動してきているため、従アーム２７は、僅かに回転した段階で、その傾斜面２７ｃ1がピン２４ｆに当接することになる。そのときの状態が図１４に示されている。
【００４８】
そして、その後は、セット部材２４の回転に伴って、ピン２４ｆが腕部２７ｃの傾斜面２７ｃ1を押すことになるので、従アーム２７は、セットばね３２の付勢力に抗して僅かに時計方向ヘ回転され、ピン２４ｆは、従アーム２７の長溝２７ｄの中に入っていく。従って、後羽根群の場合には、僅かにセット方向ヘ作動させられるが、その直後には、また、戻されてしまうことになる。そのため、セット作動時においては、先羽根用駆動部材１４と後羽根用駆動部材１５がセットされて行き、先羽根群の４枚の羽根３６，３７，３８，３９は展開されて、露光開口を覆っていくが、後羽根群の４枚の羽根２８，２９，３０，３１は、実質的に露光開口を覆った状態のままになっていることになる。
【００４９】
その後、先羽根群の羽根３６，３７，３８，３９が展開状態となって露光開口を覆い終わると、鉄片部材１９，２２は、相前後して各電磁石１２，１３の鉄芯１２ａ，１３ａに接触し、図示していない周知の圧縮ばねの付勢力に抗して、取付部１４ｃ，１５ｃ内に押し込まれるが、その僅かに押し込まれた段階で、セット部材２４の回転が停止されることによって、一連のセット作動が終了する。従って、セット部材２４は、セット作動終了後、直ちに初期位置へは復帰せず、次の撮影が行われるまで、図示していないカメラ本体側の部材によって、その位置を保たされることになる。そのセット状態が図１に示された状態である。
【００５０】
このように、本実施例においては、従来の二重遮光方式でないシャッタに比較して、特に部品点数が増えるわけではないので、コンパクトで低コストな二重遮光方式のシャッタが得られるという特徴がある。即ち、セット部材２４のピン２４ｆは、セット部材２４が初期位置に復帰し停止するための従来のピンと兼用させ、その長さを若干長くしただけである。また、セットばね３２は、従来のガタ寄せばねと兼用させ、その付勢力を大きくしただけのものである。更に、従アーム２７には、従来例のようにピンを立設する必要がなく、薄板材料の形状を一部変えるだけのものであるから、加工が極めて容易である。そして、従来例のように、シャッタ地板に何らかの加工を施す必要が全くない。
【００５１】
尚、上記の実施例においては、セットばね３２が従アーム２７に掛けられているが、ガタ寄せばねを設ける必要がない場合か、ガタ寄せばねを設ける場合であっても兼用させたくない場合には、このセットばね３２を主アーム２６に掛けても差し支えない。また、上記の実施例においては、セット部材２４が、セット時には、カメラ本体側の部材によって初期位置から動かされ、初期位置へは、復帰ばね２５の付勢力によって復帰するように構成されているが、本発明は、そのような構成に限定されず、セット部材２４に復帰ばね２５が掛けられてなく、初期位置からの往復作動を他の部材の往復作動に連動して作動させられるようにした構成にも適用することが可能である。
【００５２】
また、上記の実施例においては、セット作動時に、セット部材２４のピン２４ｆが従アーム２７の傾斜面２７ｃ1を押すことによって、若干反時計方向ヘ回転されている従アーム２７を時計方向ヘ押し戻すように構成されているが、本発明は、そのような構成に限定されるものではない。即ち、腕部２７ｃの先端には傾斜面２７ｃ1が形成されておらず、セット部材２４のピン２４ｆが長溝２７ｄに入った後、そのピン２４ｆに腕部２７ｃが当接し、従アーム２７の反時計方向ヘの回転が阻止されるようにしても差し支えない。但し、その場合には、タイミングの取り方によっては、スリット形成羽根３１のスリット形成縁が露光開口を開いた状態にせざるを得なくなる場合もあるが、その場合であっても、漏光は羽根相互の重なり部で生じることが多いため、先羽根群の羽根３６と羽根３７の重なり部を覆う状態になってさえいれば、それなりの遮光効果を得ることが可能である。
【００５３】
更に、上記の実施例においては、シャッタ地板１と中間板３３との間を後羽根群の羽根室にしているが、これは、説明するまでもなく、セット部材２４のピン２４ｆと従アーム２７の長溝２７ｄとの連結関係を良好に得られ易くするためであり、その連結関係について、特に問題がないと判断した場合には、中間板３３と補助地板４３との間を、後羽根群の羽根室としても差し支えない。
【００５４】
【発明の効果】
以上のように、本発明は、部品点数が極めて少なく、しかも各部材の加工が面倒ではないため、従来の二重遮光方式のフォーカルプレンシャッタに比較して、格段に、コンパクトに、且つ低コストで製作できるという効果がある。
【図面の簡単な説明】
【図１】被写体側、即ち撮影レンズ側から視た実施例の平面図であって、セット状態、即ち二重遮光状態を示したものである。
【図２】実施例のシャッタ地板と、それに直接関連する部材を示した平面図である。
【図３】図３（ａ）〜図３（ｃ）は、図２に示したシャッタ地板の撮影レンズ側に取り付けられる部材のうち、一番撮影レンズ側に配置されるものから順に示した平面図である。
【図４】図４（ａ）〜図４（ｅ）は、シャッタ地板の撮影レンズ側に取り付けられる部材のうち、図３（ｃ）に示したものよりもシャッタ地板側に取り付けられる部材を、主に撮影レンズ側に配置されるものから順に図１の状態で示した平面図である。
【図５】図５（ａ）及び図５（ｂ）は、図１の状態における後羽根群とセットばねを示した平面図である。
【図６】実施例に用いられている中間板の平面図である。
【図７】図７（ａ）〜図７（ｃ）は、図１の状態における先羽根群と、先羽根群のガタ寄せばねと、先羽根群の羽根室の間隙を確保するための間座を示した平面図である。
【図８】図８（ａ）〜図８（ｃ）は先羽根群よりもフィルム面側に配置される部材を、先羽根群側から順に示した平面図である。
【図９】実施例の部分左側面図である。
【図１０】図１の左側の部分だけを拡大し、要部の構成が理解できるようにするために、図１に示されている一部の部材を取り外して示した平面図である。
【図１１】図１の左側の部分だけを拡大して示した平面図であって、露光作動開始直前の状態を示している。
【図１２】図１の左側の部分だけを拡大して示した平面図であって、露光開口の全開状態を示している。
【図１３】図１の左側の部分だけを拡大して示した平面図であって、露光作動終了直後の状態を示している。
【図１４】実施例において、セット作動の過程におけるセット部材と後羽根群との関係を、拡大して示した平面図である。
【符号の説明】
１                      シャッタ地板
１ａ，３３ａ，４３ａ    開口部
１ｂ，１ｃ，１ｄ，１ｅ，３３ｂ，３３ｃ  長孔
１ｆ，１ｇ，１ｈ，１ｉ  軸
１ｈ1，１ｉ1，１ｗ1   ねじ孔
１ｊ                    座ぐり部
１ｋ，１ｍ，１ｎ        肉厚部
１ｋ1，１ｋ2           係合部
１ｋ3，１ｋ4           斜面
１ｐ，１ｑ              棚部
１ｘ1                   間座部
２，３，４，５，６，７，４４  緩衝部材
８                      支持板
８ａ，８ｂ，８ｃ，８ｄ，９ａ，９ｂ，９ｃ，９ｄ，２６ａ，２７ａ，２７ｅ，３３ｄ，３３ｅ，３４ａ，３４ｂ，３５ａ，３５ｂ，４２ａ，４２ｂ，４３ｂ，４３ｃ，４３ｄ，４３ｈ，４３ｉ  孔
８ｅ，８ｆ              爪部
８ｇ，１６ａ，１７ａ，２４ｅ  ばね掛け部
８ｈ，８ｉ，１４ｃ，１５ｃ  取付部
９                      プリント配線板
１０，１１，４５，４６  ネジ
１２                    先羽根用電磁石
１２ａ，１３ａ          鉄芯
１２ｂ，１３ｂ          コイル
１３                    後羽根用電磁石
１４                    先羽根用駆動部材
１４ａ，１５ａ，２４ａ  筒部
１４ｂ，１５ｂ          駆動ピン
１５                    後羽根用駆動部材
１５ｂ1                 押動面
１６，１７              ラチェット車
１６ｂ，１７ｂ          歯部
１８，２１              ローラ
１９，２２              鉄片部材
２０                    先羽根用駆動部材
２３                    後羽根用駆動部材
２４                    セット部材
２４ｂ，２４ｃ          押動部
２４ｄ，２６ｂ          被押動部
２４ｆ                  ピン
２５                    復帰ばね
２６，３４              主アーム
２７，３５              従アーム
２７ｂ，３３ｆ          張出部
２７ｃ                  腕部
２７ｃ1                 傾斜面
２７ｄ                  長溝
２８，２９，３０，３１，３６，３７，３８，３９  羽根
３２                    セットばね
３３                    中間板
４０                    ガタ寄せばね
４１                    間座
４２                    先羽根用押さえ板
４３                    補助地板
４３ｅ，４３ｆ，４３ｇ，４３ｑ  折曲部
４３ｊ，４３ｋ          フック部
４３ｍ，４３ｎ，４３ｐ  突出し部
【図１】
0004264158.tif 000002
【図２】
0004264158.tif 000003
【図３】
0004264158.tif 000004
【図４】
0004264158.tif 000005
【図５】
0004264158.tif 000006
【図６】
0004264158.tif 000007
【図７】
0004264158.tif 000008
【図８】
0004264158.tif 000009
【図９】
0004264158.tif 000010
【図１０】
0004264158.tif 000011
【図１１】
0004264158.tif 000012
【図１２】
0004264158.tif 000013
【図１３】
0004264158.tif 000014
【図１４】
0004264158.tif 000015